(57)【要約】【課題】多数のモジュールの連結に耐えうる強度と電気的な接続安定性を有した連結式の照明装置であって、消費電力および発熱量が少なく、発光モジュールの向きを考慮せずに連結することができる照明装置の構造を提供すること。【解決手段】  正四角形等の正多角形状に形成した上面および当該上面と同形状の底面を有する角柱状の発光モジュールを複数個連結した照明装置である。連結単位となる前記発光モジュールは、各側面を形成する透過性の素材によって形成したパネルを有し、パネルを取り付けるフレームの内面側には複数の発光ダイオード等の低消費電力の発光体が設けられている。各連結部には、正負正若しくは負正負の順序で等間隔に配置した接点で構成される給電部を設けている。【選択図】図１
2011154794.tif 000002
【特許請求の範囲】
【請求項１】
正多角形状に形成した上面および当該上面と同形状の底面を有する角柱状の発光モジュールを複数個連結した照明装置であって、
前記発光モジュールは、
各側面を形成する透過性の素材によって形成したパネルと、
上記パネルを取り付ける格子状のフレームと、
前記フレームを構成する各フレーム要素の内面側に設けた複数の発光体と、
斜め上方に配置した他の発光モジュールとの連結を行う上面の外周縁に設けた連結部および斜め下方に配置した他の発光モジュールとの連結を行う下面の外周縁に設けた連結部と、
前記連結部に設けた正負正若しくは負正負の順序で等間隔に配置した接点で構成される給電部を有し、
前記連結部において他の発光モジュールと着脱可能に連結するとともに、前記給電部を介して電気的に結合するように構成したことを特徴とする照明装置。
【請求項２】
前記連結部における発光モジュール同士の連結は、当該連結部に取り付けられる接続手段を介して行うとともに、当該接続手段に内蔵した導電体によって互いの給電部を接続し、
上方に位置する発光モジュール上面の前記接続手段を設けた側の外周縁部と、下方に位置する発光モジュール上面の前記接続手段から最も離れた部位とを連結する保持手段を設け、当該保持手段によって上方に位置する発光モジュールの姿勢を保持するように構成したことを特徴とする請求項１記載の照明装置。
【請求項３】
前記発光モジュールが正立方体形状であることを特徴とする請求項１または２記載の照明装置。
【請求項４】
前記接続手段に内蔵した導電体は、当該接続手段の表面から弾性を伴って突出していることを特徴とする請求項１ないし請求項３の何れか一項記載の照明装置。
【請求項５】
正多角形状に形成した上面および当該上面と同形状の底面を有する角柱状の発光モジュールであって、
各側面を形成する透過性の素材によって形成したパネルと、
上記パネルを取り付ける格子状のフレームと、
前記フレームを構成する各フレーム要素の内面側に設けた複数の発光体と、
斜め上方に配置した他の発光モジュールとの連結を行う上面の外周縁に設けた連結部および斜め下方に配置した他の発光モジュールとの連結を行う下面の外周縁に設けた連結部と、
前記連結部に設けた正負正若しくは負正負の順序で等間隔に配置した接点で構成される給電部を有し、
前記連結部において他の発光モジュールと着脱可能に連結するとともに、前記給電部を介して電気的に結合するように構成したことを特徴とする発光モジュール。
【発明の詳細な説明】
【技術分野】
【０００１】
本発明は、照明装置に関するものであり、特に複数個の発光モジュールを連結することにより任意の形状に形成することが出来る照明装置に関するものである。
【背景技術】
【０００２】
従来、正多面体の頂点部分に相互結合および光通電のための接続部材を有した多数の照明器本体を設け、当該照明器本体を壁のように連結できるように構成した照明器が知られている（特許文献１）。当該例に用いられている照明器本体は、１個の雄型プラグと３個の雌型プラグを有したものであり、これらのプラグを抜き差し自在に結合することで、各照明器を連結できるように構成したものである。そして、各照明器を構成するためのモジュールとなる照明器本体は、内部中央に１個の白熱球を配置し、側面に空けた穴を介して光を放出するように構成されたものである。また、連結用の上記プラグは２極（２個の接続部）を一対として構成したものである。
また、互いに連結可能に構成された立方体形状の筐体を有する発光ダイオードを内蔵した照明装置が知られている（特許文献２）。
【先行技術文献】
【特許文献】
【０００３】
【特許文献１】実公昭４９−３５９９３号公報
【特許文献２】特許第４２３４０９４号公報
【発明の概要】
【発明が解決しようとする課題】
【０００４】
特許文献１記載の照明器は、光源が白熱球であることから、電力消費量が多く、多数個を連結すると消費電力が多くなり発熱量も多くなる。そして、当該照明器に発光ダイオードなどの低消費電力の光源を搭載したとしても、結合時の向きを注意しなければ電気的な極性（正／負）が逆になり、極性を有する発光ダイオードは点灯しなくなる。
また、給電用の端子(プラグ)は単純な抜き差しによって結合したものであるから互いを離間させる方向の力が作用した場合には簡単に抜けてしまうものであり、複数個の照明器本体を連結した場合には下方にある照明器同士の結合箇所に上方の照明器本体の重みが累積的に作用し、結合が不安定になる可能性が高い。さらに、プラグは通電により加熱する部分であるし上記のように構造的な結合も不安定であるから、電気的な結合の面においても不安定である。
また、特許文献１記載の照明器は、内部中央に配置した点光源である１個の白熱球から、側面に空けた穴を介して光を放出するものであるため、側面全体を均一な照度で発光させることはできないものである。
【０００５】
また、特許文献２記載の照明装置は、消費電力と発熱量が少ない発光ダイオードを内蔵し側面を光らせるように構成した互いに連結可能な照明装置であるが、面同士を結合させるものである。その結果、連結面となる側面は発光面でありながら表出しないことになり、せっかくの発光面を有効に使用することができないものとなっている。
【０００６】
本発明は、上記課題に鑑み発明されたものであって、多数のモジュールの連結に耐えうる強度と電気的な接続安定性を有した連結式の照明装置であって、モジュールを多数個連結した場合であっても、従来よりも消費電力および発熱量が少ない連結式の照明装置を提供することを目的とするものである。
また、発光モジュールの向きを考慮せずに連結しても、電気的な極性が正負反転するこ
となく結合することができ、発光ダイオードのような極性のある光源であっても使用することができる照明装置の構造を提供することを目的とするものである。
また、発光モジュールの側面全体をほぼ均一の照度で発光するように構成すると共に、他の発光モジュールとの接続によって塞がれる側面の無い連結式の照明装置の構造を提供することを目的とするものである。
【課題を解決するための手段】
【０００７】
上記課題を解決するために、本願発明は以下の手段を有するものである。すなわち、正三角形、正四角形、正六角形等の正多角形状に形成した上面および当該上面と同形状の底面を有する角柱状の発光モジュールを複数個連結した照明装置である。連結単位となる前記発光モジュールは、各側面を形成する透過性の素材によって形成したパネルを有し、これにより内部の光を外側に向けて放射するようになっている。上記パネルは構造的強度を有する格子状のフレームに取り付けられており、このフレームを構成する各フレーム要素の内面側には複数の発光ダイオード等の低消費電力の発光体が設けられている。また、光源の位置を分散させるために各フレーム要素の内面側に光源を取り付け、各側面のパネルを均一の光量で発光させるようになっている。連結単位となる発光モジュールは、それぞれ上面外周縁と下面外周に連結部を有しており、斜め上あるいは斜め下に配置された他の発光モジュールと連結するようになっている。そして、各連連結部は、このような斜め方向の接続を許容する構造に形成されている。また、各連結部には、正負正若しくは負正負の順序で等間隔に配置した接点で構成される給電部を設けており、接続されるモジュールに設けられた給電部は、互いに対向する位置関係となるように辺部分の中央に等間隔で配置されている。そして、前記連結部において他の発光モジュールと着脱可能に連結するとともに、前記給電部を介して電気的に結合するように構成されている。
【０００８】
また、本発明は以下の手段を有する。すなわち、前記連結部における発光モジュール同士の連結は当該連結部に取り付けられる接続手段を介して行うとともに、当該接続手段に内蔵した導電体によって互いの給電部を接続するようになっている。この導電体は、接続手段に内蔵されているものの発光モジュール同士の構造的な結合には関与しておらず、接続手段によって正常に連結されている限り正常な通電作用を有するようになっている。また、連結対象となる発光モジュールは、別個の手段として用意された保持手段によっても接続されている。保持手段は、上方に位置する発光モジュール上面の前記接続手段を設けた側の外周縁部と、下方に位置する発光モジュール上面の前記接続手段から最も離れた部位とを連結するものであり、側方に飛び出した発光モジュールの姿勢を倒れることがないように保持する手段となっている。
【０００９】
また、本発明は以下の手段を有する。すなわち、前記発光モジュールが正立方体形状であることを特徴とする。
【００１０】
また、本発明は以下の手段を有する。すなわち、前記接続手段に内蔵した導電体は、当該接続手段の表面から弾性を伴って突出していることを特徴とする。発光モジュールと接続手段の間には、着脱を可能とするために多少の隙間（所謂遊び）があり、また発光モジュールと接続手段は剛性を有するものであるものの、多少の撓みが生じる。このため、発光モジュール間の関係が僅かに変動した場合であっても、電気的な導通が維持されるように導電体は弾性を伴って突出するようになっている。
【００１１】
また、本発明に用いる発光モジュールは以下の構成を有する。すなわち、正多角形状に形成した上面および当該上面と同形状の底面を有する角柱状の発光モジュールであって、各側面を形成する透過性の素材によって形成したパネルと、上記パネルを取り付ける格子状のフレームと、前記フレームを構成する各フレーム要素の内面側に設けた複数の発光体と、斜め上方に配置した他の発光モジュールとの連結を行う上面の外周縁に設けた連結部
および斜め下方に配置した他の発光モジュールとの連結を行う下面の外周縁に設けた連結部と、前記連結部に設けた正負正若しくは負正負の順序で等間隔に配置した接点で構成される給電部を有し、前記連結部において他の発光モジュールと着脱可能に連結するとともに、前記給電部を介して電気的に結合するように構成したことを特徴とする。当該モジュールが備える特徴は、上記照明装置の説明において行った説明の通りである。
【発明の効果】
【００１２】
本発明に係る照明装置は、同一形状に形成した発光モジュールを複数個連結するものであるが、直上に積み上げるのではなく斜め上方に向かって連結することができるものである。これにより、各モジュールの上面あるいは底面を塞ぐことなく連結することができるので、照明効果や装飾効果の高い全ての面を表出させた照明装置を提供することができるものとなっている。また、各発光モジュールは、接続する発光モジュール同士の向きを異ならせても電気的な極性の変化を生じない給電部を有しているので、発光ダイオードのような極性を有する光源を使用したモジュールであっても、接続の向きを考慮せずに連結を行うことができるという効果を有している。
また、発光面に影ができないようにモジュール内を中空に保つとともに、単一の光源を中央に設けるのではなくモジュール内の各支柱に光源を設けたため、モジュールの各面を均一照射することができる。これにより、全ての面が均一に発光しているかのように見え、支柱の影も目立ちにくいという効果を有している。
また、モジュール同士の構造的な接続は強度を有する接続手段によって行い、電気的な結合は当該接続手段に内蔵された部材によって行っている。これにより、構造的な結合の安定性を図るとともに電気的にも安定した接続を行うことができる照明装置を提供することができるものとなっている。
また、電力を供給する給電手段を任意の位置に取り付けることができるので、美観を損なうことなく照明装置に対する給電を行うことができるという効果を有している。
【図面の簡単な説明】
【００１３】
【図１】本実施の形態に係る発光モジュールの一例を表した外観図である。
【図２】本実施の形態に係る発光モジュールの構造を表した分解斜視図である。
【図３】本実施の形態に係る発光モジュールの内部に設ける光源を搭載した回路基板の説明図である。
【図４】本実施の形態に係る発光モジュールに用いる光源を搭載した回路基板の回路ブロック図である。
【図５】本実施の形態に係る発光モジュールの接続に用いる各手段の外観図である。
【図６】本実施の形態に係る発光モジュールに電力を供給する手段の外観図である。
【図７】複数個の発光モジュールを連結することによって形成した照明装置の一例に関する説明図である。
【図８】他の形態の発光モジュールを連結することによって形成した照明装置の一例に関する説明図である。
【図９】さらに他の形態の発光モジュールを連結することによって形成した照明装置の一例に関する説明図である。
【発明を実施するための形態】
【００１４】
以下、本発明を実施するための形態について図を用いて説明する。
図１は、本発明に係る照明装置の一実施の形態に用いる発光モジュール（以下「モジュール」という）１の外観図を表している。当該モジュール１は、立方体形状に形成されており、同様に形成された他のモジュールと連結することで、後述する図７に示す如く任意の形状に組み立てることができ、この組み立てによって照明機能を備えた立体的な造形物を形成することができるものである。
【００１５】
立方体形状に形成されたモジュール１は、４つの角部を所定の半径で円弧状に面取りした６枚の正方形状の側面パネル２（２ａ、２ｂ、２ｃ、２ｄ、２ｅ、２ｆ）を各側面に有している。
正方形に形成された各側面パネル２の外形形状は全て同一であり、その外形は立方体を成す本来の側面の大きさよりもやや小さく形成されている。外形をやや小さく形成した結果、互いに隣接する直交した他の側面パネル同士の境界には所定幅の隙間３が形成されるようになっている。そして、当該隙間３を形成する各側面パネル２の端縁と隙間３内部に形成された空間を利用して詳細には後述する連結手段等を装着するようになっている。すなわち、モジュール１の各辺部に設けた隙間３が他のモジュールとの連結部を構成するようになっている。
【００１６】
図２は、前記側面パネル２を装着するためのフレーム４と、当該フレーム４に装着される側面パネル２を表した説明図である。なお、図２には４枚の側面パネル２ｃ、２ｄ、２ｅ、２ｆのみを表しているが、図１に示した側面パネル２ａ、２ｂも同様にフレーム４に装着される。このようにフレーム４に取り付けられた６枚の側面パネル２が、各辺部分に前記隙間３を設けつつ、立方体として形成されるモジュール１の各側面を形成するようになっている。また、前述のように側面パネル２の角は全て丸められているので、各パネルの角が集合する立方体の頂点部分には、隙間３内の空間に連通するやや大きい開口が形成されるようになっており、当該開口が連結手段の差し込み口として使用されるようになっている。
【００１７】
側面パネル２は、一例として光透過性のある乳白色のプラスチック素材により一体成型された部材として形成されている。側面パネル２は、矩形の板状部５を有するとともに、当該板状部５の内面側であって外周縁からやや内側の位置に、枠のような矩形の凸条６を設けたものである。また、凸条６の端面から突出するように複数個（８個）の凸片７を設けている。
凸条６は、フレーム４の各側面に設けた枠状の凸縁８と嵌合するように形成された係合手段であり、フレーム４の各側面に対するパネル２の固定位置を正確に定めるための手段となっている。
また、凸片７と対向するフレーム４上には、当該凸片７を嵌め込んで結合させる結合部９が設けられている。凸片７と結合部９は、前記凸条６と凸縁８の係合に伴って同時に結合し、側面パネル２をフレーム４に対して固定するようになっている。
【００１８】
フレーム４の結合部９内に側面パネル２の凸片７が挿入されると、当該凸片７に設けられている孔部に結合部９内に設けられている突起（図示せず）が係合し、凸片７を抜けないように保持する。この係合によって、側面パネル２がフレーム４に固定されるようになっている。
フレーム４は、各辺を構成する１２本の支柱（フレーム要素）１０によって格子状の中空部材として形成されている。そして、４本の支柱１０によって形成される各側面には、開口が形成されている。当該開口は、フレーム要素である支柱がモジュール同士の結合に必要な機械強度を発揮できる範囲でできる限り面積が広くなるように形成されている。逆をいえば、支柱１０はなるべく側面の開口を縮めない形状と大きさに形成されている。また、フレーム４は、電気絶縁性のある樹脂素材によって形成されている。
【００１９】
各支柱１０の表面部には、前述した矩形を成す凸縁８の一部および２個の結合部９が設けられている。また、各支柱１０の内面部には、一例として発光ダイオードにより構成される発光体（光源）１１を３個ずつ実装した細幅の回路基板（以下「基板」という）１２が密着するように固定されている。基板１２は各支柱１０よりも細く形成されており、長手方向両端において隣り合う他の基板１２と電気的に結合されている。
また、各支柱１０の中央部には内外に連通する３つの開口１３、１４、１５が設けられ
ており、当該開口を介して基板１２に接続された給電端子（給電部）１６、１７、１８が表出するようになっている。
【００２０】
図３は、前記基板１２の説明図を表している。
図３（ａ）は基板１２の平面図、図３（ｂ）は基板１２の正面図、図３（ｃ）は基板１２の側面図を表している。
基板１２の表面には、発光体１１として発光ダイオードが３個設けられている。そして、当該基板１２の裏面には、前記給電端子１６、１７、１８が設けられている。当該給電端子は、中央の給電端子１７が正極、両端の給電端子１６、１８が負極となっており、発光体１１に対する給電および他のモジュールへの給電を目的として設けられているものである。基板１２が各支柱１０の内面に装着されると、当該給電端子１６、１７、１８は各支柱１０の内側から前記開口１３、１４、１５に嵌合し表出するようになっている。
なお、図では平らな電極面を成すように記載しているが、実際には通常の取り扱い時に電極面が人に接触したり、不用意な短絡などを起こさないように、支柱１０表面若しくは表面よりもやや低い位置において表出させるようになっており、給電端子１６、１７、１８と接触する接点（後述する接続手段の端子）には、バネ性のある金属端子を用いている。
【００２１】
図３（ｄ）は、フレーム４内に装着される１２個の基板１２の配置を表した説明図である。基板１２は格子状に組み合わされた１２本の支柱１０の内側全てに配置されるため、図３（ｄ）に示すように格子状を成すように配置されている。そして、全ての基板１２は、発光体１１を設けた発光面がフレーム４内部の中央部分を向くように配置されている。
また、全ての基板１２の長手方向の両端部は、フレーム４内側の角部において、近接する他の２個の基板と電気的に結合している。すなわち、フレーム４の角部内側では、３個の基板１２が、半田付け若しくは電気的なコネクタ手段を介して互いに結合している。
【００２２】
図４は、上記１２個の基板１２の接続状態を表した回路ブロック図である。各基板１２は、長手方向の両端部に（−）（＋）（−）の順に並んだ３極の接続部を有しており、当該３極の接続部同士を互いに接続するようになっている。当該接続は、前出したように半田付け若しくはコネクタ手段によって行われる。また当該（−）（＋）（−）の接続部と導通している各回路は、前記給電端子１６、１７、１８と結合している。すなわち、両端の給電端子１６、１８が（−）極の回路に接続され、中央の給電端子１７が（＋）極の回路に接続されている。
【００２３】
上記接続によって、何れかの基板１２に給電端子１６、１７、１８を介して所定の電力が供給されると、他の全ての基板１２にも電力が供給されるようになっている。電力が供給された基板１２では、フレーム４内側を向くように装着された発光体１１が発光するようになっている。
格子状に配置された基板１２の発光体から内側に向かって放射された光は、６面体の内面全体をほぼ均等の光量で照らし、これにより乳白色の側面パネル２表面から外側に向かって均一な光を放射するようになっている。
【００２４】
上記一例として説明した立方体形状のモジュール１は接続手段を使用して、他の同形状のモジュールと接続することができるようになっている。
図５（ａ）は当該連結に使用する接続手段２０、図５（ｂ）は保持手段２１の外観を表している。接続手段２０は、合成樹脂によって形成された強度のある板状の部材として形成されたものであり、長手方向に沿った両側縁部にモジュール１の隙間３によって形成される連結部に装着される装着部を設けたものとなっている。一例として、当該装着部は隙間３の内部形状と近似した断面形状に形成した膨出部２２によって形成されている。当該膨出部２２は、表裏の縁部に長手方向に沿って溝を形成することにより形成したものであ
る。当該溝には、隙間３を形成する側面パネルの端縁が当接するようになっており、当該溝によって膨出部２２の離脱を防止し接続手段２０を固定することができるようになっている。
また、隙間３と溝の形状および隙間３と支柱１０の間に形成される空間の形状は、膨出部２２の形状とほぼ同形状に形成されているので、装着された接続手段２０はモジュール１に対してぐらつくことなく一定の姿勢を維持したまま固定されるようになっている。
【００２５】
モジュール１の角部は円弧状に面取りされた３枚のパネルの角部が集合した部位であるので、当該角部には隙間３の内側に膨出部２２を挿入することができる程度の開口が形成されるようになっている。逆をいえば、角部の開口を膨出部２２が挿入できる程度の大きさに形成するために、パネル角の円弧の半径が決定されている。
また、円弧状の面取りをしているのは、遠目に見てパネルが四角形に見えるからである。すなわち、円弧状のＲ面取りではなく直線状のＣ面取りによって角を形成すると、見た目のパネルの印象が四角形ではなく８角形に見えてしまう。そのようなことから、本発明ではパネルの角を円弧状に形成している。
【００２６】
また接続手段２０は、横幅方向の両方の端面にそれぞれ導電用の端子を３個ずつ有している。すなわち、図５（ａ）に示すように接続手段２０の一側面には３個の端子２３ａ、２４ａ、２５ａが設けられ、反対面にも３個の端子２３ｂ、２４ｂ、２５ｂが設けられている。そして、表裏で対向する位置にある端子２３ａと端子２３ｂ、端子２４ａと端子２４ｂ、端子２５ａと端子２５ｂは接続手段２０の内部において電気的に導通している。また、これらの端子２３、２４、２５は、弾性を有する金属素材によって突出するように設けられており、接触する部位に対して弾性を伴って押しつけることで接続の安定性を確保するようになっている。
【００２７】
上記接続手段２０を、モジュール１の辺部に形成されている前記隙間３の中央に装着すると、隙間３内の支柱１０表面中央付近の開口１３、１４、１５内に設けられた給電端子１６、１７、１８と、前記３個の端子２３ａ、２４ａ、２５ａ（若しくは端子２３ｂ、２４ｂ、２５ｂ）とが接触し、電気的に導通するようになっている。
そして、上記モジュール１に取り付けた接続手段２０に他のモジュールを取り付けると、当該接続手段２０を介して２つのモジュールが構造的に連結される。そして、２つのモジュールは接続手段２０に設けた各端子によって電気的にも接続されるようになっている。この際、構造的な連結は接続手段２０を構成する樹脂素材の強度によって維持され、電気的な結合は構造的な係合には寄与しない金属素材によって行われている。また、端子２３、２４、２５は、素材自体の弾性若しくは機構（図示せず）によって、弾性を伴って給電端子１６、１７、１８と圧接するようになっているので、モジュール間の位置関係に多少の変動があっても安定した接続状態を維持することができるようになっている。
【００２８】
図５（ｂ）は、２個のモジュールを結合させる際に使用する保持手段２１の外観図である。当該保持手段２１は、細長の連結棒２６と当該連結棒の両端に設けた結合部２７を有している。結合部２７は、前述した接続手段２０が有する膨出部２２のように、モジュール１の辺部分に設けられた隙間３内に挿入することにより、当該モジュール１の辺部分に結合するように形成されたものである。また、本実施の形態では、連結棒２６と結合部２７は合成樹脂によって一体成型されたものであり、長手方向に対する引っ張りに対して変形しにくい強度を有するように、使用する素材に応じて各部の大きさ、太さが設定されている。
【００２９】
図６は、給電手段２８を表している。当該給電手段２８は、側縁にモジュールの隙間３内に挿入する装着部２９を形成した本体部３０を有したものである。装着部２９は、前述した接続手段２０の膨出部２２と同形状の断面を有する部位であり、この形状によってモ
ジュール１の辺部分に装着することができるようになっている。
本体部３０には給電用の電源ケーブル３１が固定若しくは着脱可能に接続されており、電源ケーブル３１を介して約１２Ｖ程度の直流電流が供給されるようになっている。また、装着部２９の表面には弾性を伴って突出した３つの給電用の端子３２、３３、３４が並んで設けられている。この端子の配列は、支柱１０の表面部に設けた給電端子１６、１７、１８の配列と一致し、装着部２９の取り付けによって両者は接触するようになっている。
装着部２９の給電端子は、前記電源ケーブル３１によって給電された電力をモジュール１に伝達するための手段であり、両端の端子３２、３４は（−）極、中央の端子３３には（＋）極の電力が供給されるようになっている。
当該給電手段２８によって電力が供給されると、当該電力はモジュール１の内部において格子状に連結された各基板１２に伝達され、それぞれの基板１２に設けられている発光体１１が発光するようになっている。
【００３０】
図７は、複数個のモジュールを連結した状態を表した説明図である。一例として７個のモジュール（１ａ、１ｂ、１ｃ、１ｄ、１ｅ、１ｆ、１ｇ）を連結している。
床面と接する最下部に２つのモジュール１ａと１ｂを１個分の空間を空けて配置し、これら２個のモジュール１ａと１ｂの対向する上側の２辺部分にモジュール１ｃの下辺部を連結している。この連結には前述した接続手段２０を用いる。
また、モジュール１ａと１ｂの上辺部に連結したモジュール１ｃの上辺部にモジュール１ｄを連結し、さらにモジュール１ｄの上辺にモジュール１ｅを連結している。各モジュールの辺部分の結合には接続手段２０が用いられる。以下、同様に辺部分同士の連結には全て接続手段２０が用いられる。
【００３１】
モジュール１ｄはモジュール１ｃの上辺部に連結され、モジュール１ｂの真上方向の領域中にモジュール一つ分の空間を空けた状態で空間に浮いた形となっている。また、接続手段２０を用いた側のモジュール１ｄの上辺部に保持手段２１の一端を取り付け、保持手段２１の他端を下方にあるモジュール１ｃの連結に使用していない上端縁に取り付けている。すなわち、モジュール１ｄが下向きに回動しようとする接続手段２０の取付部を中心とした回転力に対抗するモーメントを保持手段２１に作用する張力によって打ち消し、モジュール１ｄの回動を防止するようになっている。なお、この例では２本の保持手段２１を接続手段２０を挟んで均等に配置することで、モジュール１ｄの偏った傾きや接続手段２０に対するねじれなどを生じさせないようになっている。
また、モジュール１ｅは、モジュール１ｄの上辺部に連結され空間に浮いている。そして、接続手段２０を取り付けた側のモジュール１ｅの上辺部に保持手段２１の一端を取り付け、保持手段２１の他端を下方にあるモジュール１ｄの連結に使用していない上端縁に取り付けている。これにより、モジュール１ｅが下向きに回動しようとする力に対抗するモーメントを保持手段２１に作用する張力によって打ち消し、モジュール１ｅの回動を防止するようになっている。
【００３２】
また、モジュール１ｃと連結した方向とは９０度異なるモジュール１ａの上辺部に、接続手段２０を用いてモジュール１ｆを連結している。このように、９０度異なる方向に２つのモジュールを連結すると、当該２つのモジュールの縦方向の辺部が近接する。図６に示した例では、モジュール１ｆと前記モジュール１ｃの縦方向の辺部が近接しているので、この場合当該近接した辺部分を接続手段２０によって結合している。
また、モジュール１ｆは下支えなく空間に張り出した状態になっているため、モジュール１ｆの上辺部に保持手段２１の一端を取り付けるとともに、保持手段２１の他端を連結に使用していないモジュール１ａの上端縁に取り付けてモジュール１ｆの倒れを防止している。
なお、上記モジュール１ｆの縦方向の一辺は接続手段２０を介してモジュール１ｃに固
定されているので、保持手段２１を設けたのと同様の効果を発揮している。したがって、モジュール１ｃと連結した側には保持手段２１を設けず、間隔を隔てた端部付近にのみ保持手段２１を設けている。
【００３３】
また、モジュール１ｆの上辺部に接続手段２０を用いてモジュール１ｇを連結している。この場合、モジュール１ｇは下支えなく空間に張り出した状態となっているため、モジュール１ｇの上辺部に保持手段２１の一端を取り付けるとともに他端をモジュール１ｆの上端縁に取り付けてモジュール１ｇの倒れを防止している。また、この場合２本の保持手段２１を左右均等に配置し、モジュール１ｇや接続手段２０に生じるねじれや偏荷重を防いでいる。
【００３４】
以上説明したモジュール１は、垂直方向への単純な積層によって結合するのではなく、角縁部である辺部分同士を接続することによって全ての面が表出するように結合するものである。したがって、連結によって形成される造形物の形状が単純化せず、好みに応じて様々な形態の照明装置を作ることが出来るものとなっている。また、モジュールに通電して発光を行わせた場合にも最下部を除く全てのモジュールの全ての面から光が放射されることになるので、形状的な自由度とともに、光による装飾効果の高い造形物を形成することができるものとなっている。
【００３５】
図８は、モジュールの他の例に関する説明図である。図８に示したモジュール５０（５０ａ、５０ｂ、５０ｃ、５０ｄ、５０ｅ）は上面と底面を正６角形に形成し、各側面を正方形に形成した６角柱状のモジュールである。
図は、当該モジュール５０を簡潔に表したものであり、実際には前述したモジュール１と同様に、内部に６角柱を形成するための支柱と、当該支柱に取り付けられる６角形のパネル２枚および４角形のパネル６枚を有するとともに、各支柱の内面に発光体を取り付けた基板を設けている。各基板は、前述した基板１２と同様に電気的に接続されている。
また、６角柱状に形成したモジュールの場合、他のモジュールとの接続を行う部分は上面または下面の縁部であり、当該部分に前述した隙間３と同様の隙間が形成されている。そして、当該隙間の内部には前記給電端子１６、１７、１８と同様の３つの給電端子が設けられており接続手段２０を用いて、機械的および電気的にモジュール５０同士を連結するようになっている。
【００３６】
また、各モジュールの倒れ防止として、前述した保持手段２１と同様の保持手段５１を設けている。なお、図８に示した保持手段５１は、簡略的に表しているものであり、前述した保持手段２１と同様に隙間に対して係合する部位を有し、所定の負荷に耐える強度を有するように形成されたものである。
【００３７】
図９は、モジュールのさらに他の例に関する説明図である。図９に示したモジュール６０（６０ａ、６０ｂ、６０ｃ、６０ｄ、６０ｅ、６０ｆ、６０ｇ）は上面と底面を正３角形に形成し、各側面を正方形に形成した３角柱状のモジュールである。
図は、当該モジュール６０を簡潔に表したものであり、実際には前述したモジュール１と同様に、内部に３角柱を形成するための支柱と、当該支柱に取り付けられる３角形のパネル２枚および４角形のパネル３枚を有するとともに、各支柱の内面に発光体を取り付けた基板を設けている。各基板は、前述した基板１２と同様に電気的に接続されている。
また、３角柱状に形成したモジュールの場合、他のモジュールとの接続を行う部分は上面または下面の縁部であり、当該部分に前述した隙間３と同様の隙間が形成されている。そして、当該隙間の内部には前記給電端子１６、１７、１８と同様の３つの給電端子が設けられており接続手段２０を用いて、機械的および電気的にモジュール６０同士を連結するようになっている。
【００３８】
また、各モジュールの倒れ防止として、前述した保持手段２１と同様の保持手段６１を設けている。なお、図９に示した保持手段６１は、簡略的に表しているものであり、前述した保持手段２１と同様に隙間に対して係合する部位、所定の負荷に耐える強度を有するように形成されたものである。また、保持手段６１の下端は、三角形の頂点部分に対して結合可能となるように適宜の構造が採用されている。
【００３９】
以上説明した各種形態のモジュールは、辺部分に構造的および電気的な接続部を設けている。そして、電気的な接続部として、負正負若しくは正負正の順序で等間隔に並べられた電極部を設けている。これにより、モジュールの接続部を設けた辺同士を接合する場合、モジュールの向きによって電気的な極性が逆になるようなことなく、両者を接続することができるようになっている。このように、本発明は電極の極性を意識せずにモジュールを連結することができるものとなっている。
【００４０】
また、以上説明した各種形態のモジュールは、単独若しくは複数個を連結させることにより、単純な積み上げではなく横（斜め上）方向への展開も行いながら、種々の形態の造形物（照明装置）を形成することができるものである。
また、設置部を兼ねる最下部のモジュールを除き、各モジュールは全ての面を隠すことなく表出させることができる。これにより各モジュールを発光させた場合に全ての面から光が放射されることになり、造形物としての美観のみならず照明装置としても優れた美観を有するようになっている。
また、電力を供給する給電手段は、モジュール上の給電端子を設けた辺部分であれば何れの位置であっても取り付けることができる。したがって、美観的な観点から邪魔にならない位置に取り付けることができるようになっている。
発光のための電力は
【産業上の利用可能性】
【００４１】
本発明は、形状を変化させることができる照明装置に利用可能である。
【符号の説明】
【００４２】
１  発光モジュール（モジュール）
２  側面パネル
３  隙間
４  フレーム
５  板状部
６  凸条
７  凸片
８  凸縁
９  結合部
１０  支柱
１１  発光体
１２  回路基板
１３、１４、１５  開口
１６、１７、１８  給電端子
２０  接続手段
２２  膨出部
２１  保持手段
２３、２４、２５  端子
２６  連結棒
２７  結合部
２８  給電手段
２９  装着部
３０  本体部
３１  電源ケーブル
３２、３３、３４  端子
５０  モジュール
５１  保持手段
６０  モジュール
６１  保持手段
【図１】
2011154794.tif 000003
【図２】
2011154794.tif 000004
【図３】
2011154794.tif 000005
【図４】
2011154794.tif 000006
【図５】
2011154794.tif 000007
【図６】
2011154794.tif 000008
【図７】
2011154794.tif 000009
【図８】
2011154794.tif 000010
【図９】
2011154794.tif 000011